(57)【要約】【課題】空気調和機の室内ユニットにおいてドレンパンから溢水を流れ易くする。【解決手段】熱交換器２０及びドレンパン３０は、ケーシング１０の中に収納されている。ドレンパン３０には、貯えきれなくなった結露水を溢水として外部に排出する切欠き３７が上部に設けられ、このドレンパン３０は熱交換器２０から結露水を集める。導水部４０は、切欠き３７の近傍のドレンパン３０の外側に配置され、切欠き３７を通過する溢水をドレンパン３０の下方に滴らせる。【選択図】図１
2019095092.tif 000002
【特許請求の範囲】
【請求項１】
ケーシング（１０）と、
前記ケーシングの中に収納されている熱交換器（２０）と、
前記ケーシングの中に収納され、貯えきれなくなった結露水を溢水として外部に排出する切欠き及び／または穴が上部に設けられ、前記熱交換器から結露水を集めるドレンパン（３０）と、
前記切欠き及び／または前記穴の近傍の前記ドレンパンの外側に配置され、前記切欠き及び／または前記穴を通過する溢水を前記ドレンパンの下方に滴らせる導水部（４０）と
を備える、空気調和機の室内ユニット。
【請求項２】
前記ドレンパンは、前記切欠き及び／または前記穴が形成されている第１部材（１６）を含み、
前記導水部は、前記第１部材とは別の第２部材（６０）に形成されている、
請求項１に記載の空気調和機の室内ユニット。
【請求項３】
前記ドレンパンは、前記切欠き及び／または前記穴が形成されている第１部材（１６）を含み、
前記導水部は、前記第１部材に形成されている、
請求項１に記載の空気調和機の室内ユニット。
【請求項４】
前記導水部は、前記切欠き及び／または前記穴の近傍の前記ドレンパンの外に配置され、上下に延びるリブ（４１ａ，４１ｂ）を含む、
請求項１から３のいずれか一項に記載の空気調和機の室内ユニット。
【請求項５】
前記リブは、前記切欠き及び／または前記穴から５ｍｍ以内に配置されている、
請求項４に記載の空気調和機の室内ユニット。
【請求項６】
前記リブは、前記切欠き及び／または前記穴に対向する端部の先端が尖っている、
請求項４または請求項５に記載の空気調和機の室内ユニット。
【請求項７】
前記導水部は、前記切欠き及び／または前記穴の下端よりも高い位置から前記下端よりも下に延びている、
請求項１から５のいずれか一項に記載の空気調和機の室内ユニット。
【請求項８】
前記ケーシングの中に収納され、前記熱交換器で熱交換される空気の気流を発生させるファン（５０）をさらに備え、
前記切欠き及び／または前記穴は、前記ドレンパンの長手方向に延びる複数の側壁のうちの前記ファンに近い前記側壁の上部に設けられている、
請求項１から７のいずれか一項に記載の空気調和機の室内ユニット。
【発明の詳細な説明】
【技術分野】
【０００１】
ドレンパンを備える空気調和機の室内ユニット
【背景技術】
【０００２】
従来の空気調和機の室内ユニットは、ケーシング内に、例えば特許文献１（特開平９−７２５６８号公報）に記載されているように、熱交換器から結露水を集めるドレンパンを備えている。
【発明の概要】
【発明が解決しようとする課題】
【０００３】
特許文献１に記載されているドレンパンには、溢水を流下させる凹部がドレンパンの側壁に形成されている。この凹部を小さくすると、ドレンパンから溢水が流れ難くなる。このように、空気調和機の室内ユニットにおいては、ドレンパンから溢水を流れ易くするという課題がある。
【課題を解決するための手段】
【０００４】
第１観点の空気調和機の室内ユニットは、ケーシングと、ケーシングの中に収納されている熱交換器と、ケーシングの中に収納され、貯えきれなくなった結露水を溢水として外部に排出する切欠き及び／または穴が上部に設けられ、熱交換器から結露水を集めるドレンパンと、切欠き及び／または穴の近傍のドレンパンの外側に配置され、切欠き及び／または穴を通過する溢水をドレンパンの下方に滴らせる導水部とを備える。
【０００５】
上記空気調和機の室内ユニットでは、切欠き及び／または穴の近傍のドレンパンの外側に配置されている導水部により、切欠き及び／または穴を通過する溢水をドレンパンの下方に滴らせ、ドレンパンから溢水を流れ易くすることができる。
【０００６】
第２観点の空気調和機の室内ユニットは、第１観点の空気調和機の室内ユニットにおいて、ドレンパンは、切欠き及び／または穴が形成されている第１部材を含み、導水部は、第１部材とは別の第２部材に形成されている、ものである。このような構成においては、導水部を形成するために第１部材の構成が複雑になるのを避けることができ、第１部材の製造が容易になる。
【０００７】
第３観点の空気調和機の室内ユニットは、第１観点の空気調和機の室内ユニットにおいて、ドレンパンは、切欠き及び／または穴が形成されている第１部材を含み、導水部は、第１部材に形成されている、ものである。このように構成することにより、切欠き及び／または穴と導水部との位置関係を精度よく合わせることができる。
【０００８】
第４観点の空気調和機の室内ユニットは、第１観点から第３観点のいずれかの空気調和機の室内ユニットにおいて、導水部は、切欠き及び／または穴の近傍のドレンパンの外に配置され、上下に延びるリブを含む、ものである。このように構成することにより、導水部の構成を簡素化することができる。
【０００９】
第５観点の空気調和機の室内ユニットは、第４観点の空気調和機の室内ユニットにおいて、リブは、切欠き及び／または穴から５ｍｍ以内に配置されている、ものである。このように構成することにより、リブにより溢水を下方に滴らせ易くなる。
【００１０】
第６観点の空気調和機の室内ユニットは、第４観点または第５観点の空気調和機の室内ユニットにおいて、リブは、切欠き及び／または穴に対向する端部の先端が尖っている、ものである。このように構成することにより、切欠き及び／または穴から水をリブによって滴らせ易くなる。
【００１１】
第７観点の空気調和機の室内ユニットは、第１観点から第５観点のいずれかの空気調和機の室内ユニットにおいて、導水部は、切欠き及び／または穴の下端よりも高い位置から下端よりも下に延びている、ものである。このように構成することにより、ドレンパンにおける結露水の水位が望ましくない高さまで上昇するのを抑制し易くなる。
【００１２】
第８観点の空気調和機の室内ユニットは、第１観点から第７観点のいずれかの空気調和機の室内ユニットにおいて、ケーシングの中に収納され、熱交換器で熱交換される空気の気流を発生させるファンをさらに備え、切欠き及び／または穴は、ドレンパンの長手方向に延びる複数の側壁のうちのファンに近い側壁の上部に設けられている、ものである。このような構成においては、溢水を容易に滴らせることができる切欠き３７の幅を小さくして、例えばドレンパンの外側に結露水が発生するなどの不具合の発生を抑制することができる。
【図面の簡単な説明】
【００１３】
【図１】運転準備中の室内ユニットの断面図。
【図２】運転停止中の室内ユニットの断面図。
【図３】運転中の室内ユニットの断面図。
【図４】運転停止中の室内ユニットの斜視図。
【図５】運転中の室内ユニットの斜視図。
【図６】正面パネルを駆動するための連結部材の周辺の構造を示す部分拡大斜視図。
【図７】底フレームに取り付けられた熱交換器と電装品箱を示す正面図。
【図８】底フレームの正面図。
【図９】底フレームの平面図。
【図１０】図８のＩ−Ｉ線に沿って切断された底フレームの断面図。
【図１１】舌部構成部材の正面図。
【図１２】図１１のＩＩ−ＩＩ線に沿って切断された舌部構成部材の断面図。
【図１３】切欠き及び第１リブの周辺の構造を示す部分破断拡大斜視図。
【図１４】切欠き及び第１リブの周辺の構造を示す部分破断拡大斜視図。
【図１５】変形例１Ｂの切欠き及び第２リブの周辺の構造を示す部分拡大断面図。
【発明を実施するための形態】
【００１４】
（１）全体構成
図１に示されているように、空気調和機の室内ユニット１は、ケーシング１０と、熱交換器２０と、ドレンパン３０と、導水部４０とを備えている。熱交換器２０及びドレンパン３０は、ケーシング１０の中に収納されている。ドレンパン３０は、ドレンホース（図示せず）などを通してケーシング１０の外に結露水を排出する過程で、熱交換器２０において結露して発生した結露水を一旦溜める機能を有している。この室内ユニット１は、壁掛け型であり、室内ユニット１の後側の背面１０ｂが壁に固定される。導水部４０は、切欠き３７（図９参照）の近傍のドレンパン３０の外側に配置されている。この導水部４０は、切欠き３７を通過する溢水をドレンパン３０の下方に滴らせる機能を有する。切欠き３７を通ってドレンパン３０の外側に溢れ出した溢水は、吹出口５の周辺からケーシング１０の下方に滴り落ちる。なお、図１に示されている室内ユニット１は、運転準備中の状態にある。
【００１５】
（２）詳細構成
（２−１）ケーシング１０
ケーシング１０は、前側に、移動可能な正面パネル１１と、固定されている上部パネル１２とを有している。図２に示されているように、室内ユニット１の停止時には、正面パネル１１が上部パネル１２と実質的に同じ平面に配置される。室内ユニット１の停止時に後方下位置にあった正面パネル１１は、室内ユニット１の運転準備時に、図１に示されている前方上位置に移動して、正面視において上部パネル１２と正面パネル１１とが重なる。また、正面パネル１１が前方上位置に移動した後、さらに、停止時にケーシング１０の底面１０ｄを構成していた第１水平フラップ１３が、図３に示されているように、回動して前方上に移動する。正面パネル１１は、モータ５１（図７参照）とギア（図示せず）を含む正面パネル駆動部５０（図７参照）によって駆動されている。正面パネル駆動部５０の駆動力は、連結部材９５（図６参照）によって正面パネル１１に伝えられる。
【００１６】
図４には図２に示された状態のケーシング１０を斜め下方から見た外観が示され、図５には図３に示された状態のケーシング１０を斜め下方から見た外観が示されている。図４から分かるように、ケーシング１０は、左右方向に長い直方体を基本形状としている。図４に示されている室内ユニット１は、正面パネル１１が閉じられており、つまり正面パネル１１が後方下位置にある。それに対して、図５に示されている室内ユニット１は、正面パネル１１が開かれており、つまり正面パネル１１が前方上位置にある。吸込口４は、ケーシング１０の天面１０ｃに形成されている上吸込口４Ａ（図６参照）だけでなく、運転時に正面パネル１１が前方上位置に移動することで開放される前吸込口４Ｂ（図１参照）を含んでいる。
【００１７】
ケーシング１０は、熱交換器２０と吸込口４との間に配置されているフィルタ１５を収納している。吸込口４から入ってフィルタ１５を通過する室内空気からは、フィルタ１５により塵埃が取り除かれる。フィルタ１５を通過した室内空気は、熱交換器２０に流入する。ケーシング１０は、熱交換器２０の下流側にファン９０を収納している。ファン９０は、例えば、熱交換器２０の長手方向に沿って左右に延びるクロスフローファンである。図１などにおいては、クロスフローファンの仕切板の箇所で切断したため円周上に配置されている複数の翼は表されていない。ファン９０の下流側には、吹出流路１７が形成されている。吹出流路１７の入口前側の縁部には、舌部１８が設けられている。舌部１８は、ファン９０の前側斜め下に配置されている。
【００１８】
吹出流路１７の流路上面１７ａには、長手方向（左右方向）に複数並んだ垂直フラップ１９が取り付けられている。そして、垂直フラップ１９の下流には、第１水平フラップ１３及び第２水平フラップ１４が取り付けられている。吹出流路１７の出口が吹出口５である。吹出流路１７の流路下面１７ｂ及びケーシング１０の底面１０ｄは、樹脂製の底フレーム１６によって構成されている。
【００１９】
図７には、ケーシング１０の中に配置されている熱交換器２０及び電装品箱７０が示されている。電装品箱７０は、熱交換器２０の右側つまりケーシング１０の中で右寄りに配置されている。この電装品箱７０にはプリント配線板（図示せず）に実装されている種々の電気部品及び電子部品並びに端子台（図示せず）などが配置されているので、例えばドレンホースが詰まるなどの異常が発生しても、電装品箱７０に結露水が掛からないように、種々の水濡れ防止機構が設けられている。後ほど詳しく説明する溢水をドレンパン３０から滴らせる構成も電装品箱７０に対する水濡れ防止構造の１つである。
【００２０】
（２−２）熱交換器２０
熱交換器２０は、図１に示されているように、前側熱交換部２１と後側熱交換部２２に分けることができる。これら前側熱交換部２１の上部と後側熱交換部２２の上部とが接続されている。熱交換器２０がこのような構造を持つことから、側面から見ると熱交換器２０がΛ形の形状を呈する。
【００２１】
熱交換器２０は、長手方向に複数並べて配置されている金属製の伝熱フィン２３と、複数の伝熱フィン２３を貫通して長手方向に延びている複数本の金属製の伝熱管２４と、熱交換器２０の端部で冷媒を折り返して流すために２本の伝熱管を接続する金属製のＵ字管２５（図７参照）とを有している。
【００２２】
前側熱交換部２１の伝熱フィン２３は、途中で折り曲げられている部分もあるが、結露水がドレンパン３０に流れ込むように結露水を伝わせることができる構成になっている。後側熱交換部２２の伝熱フィン２３も、結露水がドレンパン３０に流れ込むように結露水を伝わせることができる。
【００２３】
（２−３）ドレンパン３０
ドレンパン３０は、前側熱交換部２１の結露水を溜める前側ドレンパン３１と、後側熱交換部２２の結露水を溜める後側ドレンパン３２とを含んでいる。ドレンパン３０は、底フレーム１６に形成されている。そして、ドレンパン３０の底部３３と吹出流路１７の流路上面１７ａは、底フレーム１６の一部を共用して形成されている。図８には、底フレーム１６を正面から見た状態が示され、図９には、底フレーム１６を上方から見た状態が示され、図１０には、図９のＩ−Ｉ線で切断した底フレーム１６の断面が示されている。前側ドレンパン３１は、前側熱交換部２１の下部の前後左右を囲む４つの側壁３４ａ，３４ｂ，３４ｃ，３４ｄを有している。前側ドレンパン３１の底部３３には、長手方向に沿って互いに平行に延びる２本のリブ３５が設けられている。これらリブ３５は、前側熱交換部２１の下端を支える支持部材である。また、ドレンホースに繋がれる排水口３６が前側ドレンパン３１の下部に向けて延びるように設けられており、前側ドレンパン３１の底部３３から排水口３６に向って前側ドレンパン３１に溜められた結露水が流れる。
【００２４】
前側ドレンパン３１の側壁３４ａ〜３４ｄのうちファン９０に近い側壁３４ｂの上部には、前側ドレンパン３１に貯えきれなくなった結露水を溢水として外部に排出する切欠き３７が設けられている。つまり、切欠き３７は、前側ドレンパン３１の貯えきれなくなった結露水が右側の側壁３４ｃを乗り越えないようにして、電装品箱７０に結露水が掛からないようにする構造の１つである。側壁３４ｂの上部の切欠き３７の下端の高さを側壁３４ｃの上辺よりも低くすると、前側ドレンパン３１の貯えきれなくなった結露水が優先して切欠き３７から溢れ出して前側ドレンパン３１の外部に排出され、切欠き３７のよりも高い位置にある側壁３４ｃの上辺を結露水が乗り越えるのを抑制することができる。図１から分かるように、側壁３４ｂは、底部３３から前方に傾斜して立ち上がり、その後上方に向って外側に膨らむように外側に向って傾斜し、さらに、途中から外側への傾斜が底部３３からの立ち上がり箇所と同じように前側へと傾斜する。切欠き３７の下端３７ａは、外側に向って膨らむ外側への傾斜箇所にある。従って、切欠き３７から表面張力で水面が膨らむと、下端３７ａの付近では、水位が上がるに従って水面が切欠き３７から外側に突出して水面の下側が側壁３４ｃで支えられない部分が大きくなる。このような構造によって、切欠き３７の下端３７ａの付近から下方に溢水が滴り易くなっている。
【００２５】
室内ユニット１は、通常、長手方向（左右方向）が水平方向と一致するように壁に固定される。しかし、室内ユニット１の固定工事が上手に行われず、長手方向が水平方向と一致せずに、電装品箱７０の配置されている側（この実施形態では右側）に傾けて配置されると、切欠き３７に対して側壁３４ｃの上辺が相対的に下がるので、側壁３４ｃの上辺を結露水が乗り越えるのを抑制する効果が減じられる。そこで、室内ユニット１が電装品箱７０の配置側に傾けて固定されても、切欠き３７に対して側壁３４ｃの上辺が相対的に下がるのを抑制するために、切欠き３７の位置が、室内ユニット１の長手方向の中心位置よりも電装品箱７０の側に寄せて配置されている。
【００２６】
（２−４）導水部４０
図１１及び図１２には、舌部１８を構成する樹脂製の舌部構成部材６０が示されている。舌部構成部材６０には、例えば、ポリプロピレン樹脂、ポリスチレン樹脂、ポリエチレン樹脂またはポリエステル樹脂を用いることができる。舌部構成部材６０は、底フレーム１６に嵌合されて底フレーム１６に固定されている。底フレーム１６も樹脂によって形成することができる。底フレーム１６には、例えば、ポリプロピレン樹脂、ポリスチレン樹脂、ポリエチレン樹脂またはポリエステル樹脂を用いることができる。導水部４０は、舌部１８を構成する舌部構成部材６０に形成されている複数のリブ４１，４２のうちの第１リブ４１ａである。
【００２７】
図１３及び図１４には、切欠き３７の周辺の構造が拡大して示されている。第１リブ４１ａは、正面視において、切欠き３７と重なる位置に配置されている。この第１リブ４１ａは、上下に延びており、切欠き３７の下端３７ａよりも高い位置から下端３７ａよりも低い位置まで延びている。切欠き３７の下端３７ａから第１リブ４１ａまでの距離ｄｓ（図１４参照）は、切欠き３７から水面ｗｓが表面張力によって膨らんだときの水面ｗｓと切欠き３７の下端３７ａよりも小さくなるように設定される。下端３７ａから第１リブ４１ａまでの距離ｄｓは、５ｍｍ以下であることが好ましく、例えば２．５ｍｍ以下であることがさらに好ましい。
【００２８】
切欠き３７から表面張力によって第１リブ４１ａに向って水面ｗｓが膨らんだときに、第１リブ４１ａが切欠き３７から膨らんだ水面ｗｓに作用することで、切欠き３７から矢印Ａｒ（図１４参照）の方向に水を滴らせ易くなる。例えば、第１リブ４１ａが水をはじきやすい樹脂（水の接触角が９０度より大きい樹脂）で構成されている場合でも、結露水が前側ドレンパン３１に溜まって水位が上がっているときには、室内ユニット１が運転されていて振動をしているので、振動が第１リブ４１ａから水面に伝わることで前側ドレンパン３１から下に溢水が滴り易くなる。第１リブ４１ａが水に濡れやすい樹脂（水の接触角が９０度より小さい樹脂）によって形成されている場合には、第１リブ４１ａが切欠き３７の下端３７ａ（前側ドレンパン３１の側壁３４ｂ）に当接してもよい。第１リブ４１ａが水に濡れやすい樹脂で構成されている場合には、さらに第１リブ４１ａを下に伝って切欠き３７から溢水が流れ落ちるので、前側ドレンパン３１から下に溢水がさらに滴り易くなる。ただし、水に濡れやすい樹脂を当接させる場合でも、第１リブ４１ａによって切欠き３７を全て塞ぐようなことがないように構成される。また、例えば第１リブ４１ａがポリプロピレン樹脂で形成されていると、ポリプロピレン樹脂が水をはじきやすい樹脂ではあるが接触角が９１〜９４度程度で９０度近傍の接触角を持つので、多くの結露水が発生する状況でポリプロピレン樹脂の表面が湿っている場合には、第１リブ４１ａの表面に付着した水分を伝って溢水が流れやすくなる。そのため、ポリプロピレン樹脂で形成された第１リブ４１ａが切欠き３７の下端３７ａなどの切欠き３７の周囲に接触していてもよく、湿った第１リブ４１ａによって溢水を流れ易くすることができる。また、ポリプロピレン樹脂からなる第１リブ４１ａが切欠き３７の周囲に接触している場合、ポリプロピレン樹脂の表面に空気中の微細な塵埃が付着することでさらに溢水が流れやすくなる。
【００２９】
前側ドレンパン３１の切欠き３７を通って前側ドレンパン３１の下に滴る溢水は、底フレーム１６と舌部構成部材６０との隙間を通って吹出口５からケーシング１０の外に落ちる。室内ユニット１のユーザは、吹出口５から結露水が滴り落ちるのを見ると、例えばドレンホースが詰まるなどの異常が、室内ユニット１に発生しているのを知ることができる。吹出口５から結露水が滴り落ちる状況でも、電装品箱７０などの電気系統に結露水が掛かるのが防がれるので、電装品の故障などの不具合を避けることができる。
【００３０】
切欠き３７は、ファン９０に近い側壁３４ｂの上部に設けられている。導水部４０の第１リブ４１ａによって切欠き３７から溢水が滴り易くなると、この切欠き３７の幅を小さくすることができる。室内空気が切欠き３７を通って吹出口５から外部に多くの室内空気が流れると、熱交換器２０によって冷やされる前側ドレンパン３１と舌部構成部材６０との間で結露する不具合が生じる可能性が高くなる。前側ドレンパン３１と舌部構成部材６０との間で結露すると吹出口５から結露水が滴る不具合が生じることから、このような不具合を抑制するためには、切欠き３７の幅を小さくする方が好ましい。
【００３１】
（３）特徴
（３−１）
以上説明したように、第１リブ４１ａで構成されている導水部０は、切欠き３７の近傍のドレンパン３０のうちの前側ドレンパン３１の外側に配置されている。この第１リブ４１ａが切欠き３７を通過する溢水を前側ドレンパン３１の下方に滴らせる。切欠き３７を通過する溢水が第１リブ４１ａにより前側ドレンパン３１の下方に滴るのが促進されるので、例えば水の表面張力により切欠き３７を通過し難いほど切欠き３７が小さくなっても、溢水が第１リブ４１ａによって切欠き３７を容易に通過することができる。溢水が前側ドレンパン３１から滴って吹出口５からケーシング１０の外に落下することで、いち早く結露水の排水に関する異常をユーザに気づかせることができる。また、前側ドレンパン３１の切欠き３７を小さくでき、室内空気が前側ドレンパン３１に流れ込むのを防止して前側ドレンパンの外側面などで結露するのを抑制することができ、結露水の排水に関する以上が発生していないときに、前側ドレンパン３１の表面から結露水が滴って吹出口５からケーシング１０の外に落下するのを抑制することができる。
【００３２】
（３−２）
前側ドレンパン３１は、第１部材である底フレーム１６に切欠き３７が形成されている。それに対して、導水部４０の第１リブ４１ａは、底フレーム１６とは別の第２部材である舌部構成部材６０に形成されている。底フレーム１６には、前側ドレンパン３１に必要な複雑な形状が形成されており、さらに導水部４０のためのリブ形状を形成するとさらに形状が複雑になって製造が難しくなる。そこで、底フレーム１６とは別の舌部構成部材６０に第１リブ４１ａを設けることで、底フレーム１６の形状が複雑になるのを防ぐことができ、上記実施形態では、他のリブ４１とともに舌部構成部材６０に第１リブ４１ａを設ける方が、底フレーム１６に導水部を設けるよりも製造が容易になっている。
【００３３】
（３−３）
上述の導水部４０は、切欠き３７の近傍の前側ドレンパン３１の外に配置され、上下に延びるリブである第１リブ４１ａを含んで構成されている。導水部４０が上下に延びる第１リブ４１ａを含むことから、導水部４０の構成が簡素化され、容易に導水部４０が実現できている。
【００３４】
（３−４）
切欠き３７から５ｍｍ以内に第１リブ４１ａが配置されていることから、切欠き３７から前側ドレンパン３１の外側に水面が表面張力で膨らんだ場合に、第１リブ４１ａを水面に作用させ易くなり、溢水を下方に滴らせ易くなっている。
【００３５】
（３−５）
導水部４０は、切欠き３７の下端３７ａよりも高い位置から下端３７ａよりも下に延びていることから、切欠き３７の下端３７ａよりも水位が上昇して表面張力で下端３７ａの近くから水面が膨らんでいる場合に、膨らんだ水面に第１リブ４１ａを作用させることができ、前側ドレンパン３１における結露水の水位が望ましくない高さまで上昇するのを抑制し易くなる。また、一旦、水が第１リブ４１ａによって滴り始めると、第１リブ４１ａのうちの下端３７ａよりも下に延びる部分によって第１リブ４１ａが連続して下方に水を導き易くなる。
【００３６】
（３−６）
切欠き３７は、前側ドレンパン３１の長手方向に延びる複数の側壁３４ａ，３４ｂのうちのファン９０に近い側壁３４ｂの上部に設けられている。室内ユニット１がこのような構造を有するため、ファン９０により発生する空気流が前側ドレンパン３１に流れ込むのを抑止するために切欠き３７の幅を小さくしつつ切欠き３７からの溢水を容易に滴らせることができる。
【００３７】
（４）変形例
（４−１）変形例１Ａ
上記実施形態では、溢水を排出するために前側ドレンパン３１に切欠き３７を設ける場合について説明したが、切欠き３７に代えて穴を設けてもよく、切欠き３７を穴に変更しても上記実施形態と同様の効果を奏する。また、切欠き３７と穴とを両方設けてもよい。例えば、切欠きと穴とを上下に並べて配置する場合には、一本のリブを正面視において切欠き及び穴と重なるように配置してもよい。また、切欠きと穴とを左右に並べて配置する場合には、複数本のリブをそれぞれ正面視において切欠き及び穴と重なるように配置してもよい。
【００３８】
（４−２）変形例１Ｂ
上記実施形態では、導水部４０が前側ドレンパン３１の形成されている底フレーム１６とは別の部材の舌部構成部材６０に形成される場合について説明したが、導水部は、前側ドレンパン３１が形成されている底フレーム１６に形成されてもよい。つまり、導水部と前側ドレンパン３１とが同一の部材、例えば両方が底フレーム１６に形成されてもよい。例えば、導水部４０は、図１５に示されているような、底フレーム１６に形成される第２リブ４１ｂであってもよい。第２リブ４１ｂは、第１リブ４１ａと同様に、正面視において、切欠き３７と重なる位置に配置されている。
【００３９】
切欠き３７の形成されている底フレーム１６に導水部４０の第２リブ４１ｂが形成されることで、別部材に切欠き３７と導水部４０とが形成される場合と比べると、切欠き３７と導水部４０との位置を精度よく合わせることができ、導水部４０に導水機能を安定して発揮させ易くなる。
【００４０】
（４−３）変形例１Ｃ
上記実施形態では、切欠き３７に対向する先端の平坦な第１リブ４１ａが導水部４０を構成する場合について説明したが、例えばナイフまたはノコギリのようにリブ先端が尖っている構成であってもよい。
【００４１】
先端が尖ったリブが、切欠き及び／または穴にできた水面に作用するときには、例えば先端が平坦な場合と比べると当接箇所を狭めることができるので、切欠き及び／または穴から水を滴らせ易くなる。
【００４２】
（４−４）変形例１Ｄ
上記実施形態では、導水部４０が第１リブ４１ａで構成される場合について説明したが、導水部はリブ以外の構造で構成されてもよく、例えば緋のような構成であってもよい。また、導水部４０を構成する第１リブ４１ａなどの構造体は、１つに限られるものではなく、２つ以上であってもよい。水に濡れやすい樹脂の場合には、導水部４０が、溝のような構造で構成されてもよい。
【００４３】
以上、本発明の実施形態を説明したが、特許請求の範囲に記載された本発明の趣旨及び範囲から逸脱することなく、形態や詳細の多様な変更が可能なことが理解されるであろう。
【符号の説明】
【００４４】
１  室内ユニット
１０  ケーシング
１６  底フレーム（第１部材の例）
２０  熱交換器
３０  ドレンパン
３７  切欠き
４０  導水部
４１ａ  第１リブ
４１ｂ  第２リブ
５０  ファン
６０  舌部構成部材（第２部材の例）
【先行技術文献】
【特許文献】
【００４５】
【特許文献１】特開平９−７２５６８号公報
【図１】
2019095092.tif 000003
【図２】
2019095092.tif 000004
【図３】
2019095092.tif 000005
【図４】
2019095092.tif 000006
【図５】
2019095092.tif 000007
【図６】
2019095092.tif 000008
【図７】
2019095092.tif 000009
【図８】
2019095092.tif 000010
【図９】
2019095092.tif 000011
【図１０】
2019095092.tif 000012
【図１１】
2019095092.tif 000013
【図１２】
2019095092.tif 000014
【図１３】
2019095092.tif 000015
【図１４】
2019095092.tif 000016
【図１５】
2019095092.tif 000017